(57)【要約】  本発明は、格子状の側面部分における水平に延びるロッド（５）にガイドレール（１）を固定するための迅速固定要素（４）に関し、ロッドは、ガイドレール（１）の端部部分において所定の角度で屈曲している。前記迅速固定要素（４）は、ロッドの長手方向にロッド（５）を部分的に取り囲む第１のクリップタイプの保持部分（４ａ）と、ロッド（５）の端部部分を水平に摺動するように、ロッドの屈曲端部部分（５ａ）においてロッド（５）を部分的に取り囲む第２のクリップタイプの保持部分（４ｂ）とを有するように構成されている。【選択図】  図１
2009522510.tif 000002
【特許請求の範囲】
【請求項１】
格子タイプの側面部分における水平に延びるロッド（５）にガイドレール（１）を固定するための迅速固定要素（４）であって、前記ロッドが、端部領域において前記ガイドレール（１）から所定の角度で屈曲している、前記迅速固定要素において、
前記ロッド（５）の長手方向の範囲領域において前記ロッド（５）のまわりに部分的に係合する、第１のクリップタイプの保持部分（４ａ）と、前記ロッド（５）の屈曲された前記端部領域（５ａ）において前記ロッド（５）のまわりに部分的に係合する、第２のクリップタイプの保持部分（４ｂ）とを有し、
前記ロッド（５）の前記端部領域上に、水平方向に押し込むことができることを特徴とする迅速固定要素。
【請求項２】
前記保持部分（４ａ，４ｂ）はそれぞれ、横断面が略Ｃ字形の設計であり、下側翼部（６）及び上側翼部（７）を有し、前記上側翼部（７）は前記ロッド（５）上に載置され、前記下側翼部（６）は前記ロッド（５）の下側側部に当接していることを特徴とする請求項１に記載の迅速固定要素。
【請求項３】
前記ロッドの長手方向の範囲領域において前記ロッド（５）のまわりに係合する、前記保持部分（４ａ）における前記下側翼部（６）には、弾性係止舌部（８）が設けられ、前記弾性係止舌部は、当該迅速固定要素（４）が押し込まれたとき、前記ガイドレール（１）から離れる方向に向く前記ロッド（５）の領域に当接することを特徴とする請求項１又は２に記載の迅速固定要素。
【請求項４】
前記弾性係止舌部（８）は、前記下側翼部（６）の材料を穿孔された部分を備えていることを特徴とする請求項３に記載の迅速固定要素。
【請求項５】
前記ロッド（５）における屈曲された前記端部領域（５ａ）と前記長手方向の範囲領域との間にある移行領域に、隙間切断部（９）が設けられていることを特徴とする請求項１〜４のいずれか一項に記載の迅速固定要素。
【請求項６】
単一部品として生産されていることを特徴とする請求項１〜５のいずれか一項に記載の迅速固定要素。
【請求項７】
金属から製造されていることを特徴とする請求項１〜６のいずれか一項に記載の迅速固定要素。
【請求項８】
穿孔及び屈曲部品として設計されていることを特徴とする請求項１〜７のいずれか一項に記載の迅速固定要素。
【請求項９】
前記ロッド（５）又は前記ロッドにおける屈曲された前記端部領域（５ａ）に、クランプ式に押し込むことができることを特徴とする請求項１〜８のいずれか一項に記載の迅速固定要素。
【発明の詳細な説明】
【技術分野】
【０００１】
本発明は、格子タイプの側面部分における水平に延びるロッドにガイドレールを固定するための迅速（クイック式）固定要素であって、前記ロッドは、端部領域においてガイドレールからある角度で屈曲しているような、前記迅速固定要素に関する。
【背景技術】
【０００２】
当該タイプの迅速固定要素は、それ自体、例えば独国実用新案第２００１００３７（Ｕ１）号明細書から知られている。
【０００３】
前述した迅速固定要素は、主として、例えば、皿洗い、パン焼きオーブンなど家庭内の機器におけるガイドレールを固定するために使用されるが、それらは同様に、他の家具の要素に使用することも考えられる。
【０００４】
ワイヤ又はロッドから形成された格子状の側面部分の場合には、互いに平行に延びる複数の水平ロッドが設けられ、前記ロッドは、それらの端部領域にて屈曲されており、その屈曲部分は、固定されるべきガイドレールから、家庭内機器の又は家具の要素の側面の方向に突出するようになっている。
【発明の開示】
【発明が解決しようとする課題】
【０００５】
本発明が基づく目的は、格子タイプの側面部分におけるただ１本の水平に延びるロッドにガイドレールを満足に固定できるような、本願対象のタイプの迅速固定要素を提供することである。
【課題を解決するための手段】
【０００６】
この目的を達成するために、本発明における迅速固定要素は、ロッドの長手方向の範囲領域においてロッドのまわりに部分的に係合する、第１のクリップタイプの保持部分と、ロッドの屈曲された端部領域においてロッドのまわりに部分的に係合する、第２のクリップタイプの保持部分を有し、ロッドの端部領域に、水平方向に押し込むことができることを特徴とする。
【０００７】
この設計によれば、ガイドレールは、水平に延びるロッドの長手方向軸線に対して、捻れ又は傾動に対して固定される態様にて、固定されることができる。これは、迅速固定要素は、ロッドの屈曲された端部領域においてロッドのまわりに部分的に係合する、第２のクリップタイプの保持部分によって、傾動に対して固定する手段を形成するためである。ガイドレールの両方の端部領域においてガイドレールをロッドに固定するために、対応する迅速固定要素が使用されるので、従って、ロッドにも、ロッドの屈曲された両方の端部領域が係合し、従って、捻れ又は傾動に対する固定手段が得られるだけでなく、ロッドに固定されたガイドレール部分の長手方向の変位が防止されるという利点が得られる。
【０００８】
ロッドからの迅速固定要素の意図的でない解放は、迅速固定要素がロッドにクランプ式に、すなわち、極めて実質的に摩擦的に押し込まれるので、達成することができる。ロッドの長手方向の範囲領域においてロッドのまわりに係合している保持部分の翼部における別の可能性は、弾性係止舌部を備え、これが、迅速固定要素が押し込まれたとき、ガイドレールの反対に面しているロッドの領域に当接していることである。
【０００９】
従って、この解決策の場合には、ロッドからの迅速固定要素の意図的でない解放に対して、ある種の形状固定結合が、達成されるだろう。しかしながら、係止舌部は、所定量の作用力を使用する弾性的な設計であるので、要求されるように、例えば、ガイドレール及び格子タイプの側面部分の両方をクリーニングする目的のために、意識的な迅速固定要素の解放、及び従って、ロッドからのガイドレールの解放をもたらすことができる。
【００１０】
本発明のさらに別の目的は、さらに別の従属請求項の主題である。
【００１１】
本発明の例示的な実施形態を、添付図面に示し、より詳しく後述する。
【発明を実施するための最良の形態】
【００１２】
図１〜図３は、それぞれ、参照符号１によって、ガイドレールを示しており、ガイドレールは、パン焼きオーブンなどに固定できる本体レール２と、これに対して長手方向に変位可能な走行レール３とを有している。
【００１３】
迅速固定要素４は、本体レール２の端部領域に固定されている
【００１４】
図４は、前述した迅速固定要素４を上面図にて、固定された状態において示している。図４は、迅速固定要素４が、格子タイプの側面部分（明確には図示せず）における水平に延びるロッド５に固定されていることを明瞭に示している。
【００１５】
ロッド５は、その端部領域において、ガイドレール１に対して、ある角度をなして屈曲しており、前記屈曲した端部領域５ａは、図示した例示的な実施形態においては、ガイドレール１に対して略直角に延びている。もちろん、９０゜以外の角度範囲も、ここで考えることができる。
【００１６】
迅速固定要素４はそれぞれ、ロッドの長手方向の範囲領域においてロッド５のまわりに部分的に係合する、第１のクリップタイプの保持部分４ａと、ロッドの屈曲端部領域５ａにおいてロッド５のまわりに部分的に係合する、第２のクリップタイプの保持部分４ｂとを有している。この場合、前述したクリップタイプの保持部分４ａ，４ｂは、それぞれの迅速固定要素４がロッド５の端部領域に水平方向に押し込み得るように設計されている。
【００１７】
それぞれの保持部分４ａ，４ｂは、例えば図５が明示するように、略Ｃ字形の設計の断面になっていて、それぞれ下側翼部６及び上側翼部７を有している。この場合、それぞれ、上側翼部７はロッド５の上に載置され、下側翼部６はロッド５の下側に当接している。この場合、迅速固定要素４をロッド５に又はその屈曲領域５ａにクランプ式の押し込みが達成されるように、２つの翼部６，７間の距離を選択する可能性が存在する。
【００１８】
それぞれの場合に、ガイドレール１（その本体レール２に迅速固定要素４が、例えば溶接などによって固定される）は、傾動又は捻れに対して固定される態様にて、ロッド５に対して固定されている。何故ならば、ロッド５における屈曲端部領域５ａも、それぞれの迅速固定要素４における第２のクリップタイプの保持領域４ｂによって、まわりに係合しているためである。
【００１９】
加えて、このタイプの固定は、本体レール２のロッド５に対する相対的な長手方向の変位を防止する。
【００２０】
図５は、クリップタイプの保持部分４ａにおける下側翼部６を示しており、これは、ロッド５の長手方向の範囲領域のまわりに係合し、ロッド５の方向を向いた、弾性係止舌部８を備えている。図５に示すように、固定された状態においては、前述した弾性係止舌部８は、一方の本体レール２に当接し、従って、ガイドレール１から離れる方向に向いたロッド５の領域に当接し、従って、ロッド５から迅速固定要素４が不用意に解放されることは、ここでは、事実上、形状固定結合によって防止される。迅速固定要素４の、従って、ガイドレール１の、ロッド５からの分離は、従って、所定の作用力によってのみ、意識的に行われる。
【００２１】
迅速固定要素４には、それぞれ、ロッド５の長手方向の範囲領域と、前記ロッド５の屈曲端部領域５ａとの間の移行領域に、隙間切断部９が設けられている。
【００２２】
本発明の迅速固定要素によれば、捻れ及び傾動に対して固定された態様にて、格子タイプの側面部分におけるただ１つのロッド５にガイドレール１を固定することができる。
【００２３】
図１〜図３に示すように、ガイドレール１は、全体的に、比較的簡単な構造を有している。本体レール２と比較すると、走行レール３は、ロール体に取り付けられていて、単に、３つの走行軌道を介して、ロール体が設けられている。
【００２４】
溶接端部ストッパ１０が設けられ（前述した慣例の代わりに）、走行レールの一方の端部の鋳造ストッパ及び展開した折曲タブ１１が（溶接されたストッパボルトの代わりに）、他の端部領域に設けられ、例えば、ベーキングトレイ、火格子、ジュースパンなどを変位方向において走行レール３に固定するようになっている。かかるガイドレールは、特に、最終的な機能的不都合を被らずに、費用効率的に生産される。しかしながら、もちろん、他のガイドレール１を、本発明による迅速固定要素４と関連して使用することもできる。
【００２５】
迅速固定要素４は、好ましくは、金属から生産される。この場合、単一部品の製造が好ましい。迅速固定要素の設計は、後者を、穿孔及び屈曲部品として、特に妥当なコストにて、生産することを可能にする。
【００２６】
係止舌部８は、下側翼部６の材料を部分穿孔することによって形成されることが有効である。
【図面の簡単な説明】
【００２７】
【図１】本発明による迅速固定要素を備えたガイドレールを示す斜視図である。
【図２】本発明による迅速固定要素を備えたガイドレールを、別の視認方向から見た、斜視図である。
【図３】本発明による迅速固定要素を備えたガイドレールを、更に別の視認方向から見た、斜視図である。
【図４】迅速固定要素と水平に延びるロッドとを備えたガイドレールを模式的に示した上面図であって、ロッドには、迅速固定要素と、従ってガイドレールとが着脱可能に固定されている状態を示す図である。
【図５】図４の線ＶＶに従った断面図である。
【図１】
2009522510.tif 000003
【図２】
2009522510.tif 000004
【図３】
2009522510.tif 000005
【図４】
2009522510.tif 000006
【図５】
2009522510.tif 000007
【国際調査報告】
2009522510.tif 000008
2009522510.tif 000009
2009522510.tif 000010
2009522510.tif 000011